(57)【要約】【課題】撒き餌籠の開口する底部に紙製の底蓋を装着し、水中で底蓋の紙製支持片が時間の経過と共に順次破断して行くことで継続的に撒き餌を行うことのできる紙製底蓋着脱式撒き餌籠を提供することにある。【解決手段】撒き餌籠２の開口された底部２１に着脱自在に装着される底蓋３を、水中で徐々に耐久性が低下して破断する紙製底面３１と、該紙製底面３１の周縁を略垂直に折り曲げ形成された紙製周壁３２とから形成し、上記紙製底面３１を籠２内の撒き餌がこぼれ落ちるのを防ぐ複数の紙製支持片３３を残して切り欠くと共に少なくとも一部の紙製支持片３３に異なる大きさの切り込みを入れ、紙製支持片３３の切り込みが異なることを利用して水中における紙製支持片３３の耐久性低下による破断時間が異なるようにした。【選択図】        図２
2005058021.tif 000002
【特許請求の範囲】
【請求項１】
撒き餌籠の開口された底部に着脱自在に装着される底蓋を、水中で徐々に耐久性が低下して破断する紙製底面と、該紙製底面の周縁を略垂直に折り曲げ形成された紙製周壁とから形成し、上記紙製底面を籠内の撒き餌がこぼれ落ちるのを防ぐ複数の紙製支持片を残して切り欠くと共に少なくとも一部の紙製支持片に異なる大きさの切り込みを入れ、紙製支持片の切り込みが異なることを利用して水中における紙製支持片の耐久性低下による破断時間が異なるようにしたことを特徴とする紙製底蓋着脱式撒き餌籠。
【請求項２】
撒き餌籠の開口された底部に着脱自在に装着される底蓋を、水中で徐々に耐久性が低下して破断する紙製底面と、該紙製底面の周縁を略垂直に折り曲げ形成された紙製周壁とから形成し、上記紙製底面を籠内の撒き餌がこぼれ落ちるのを防ぐ複数の紙製支持片を残して切り欠くと共に少なくとも一部の紙製支持片の幅を異なる大きさに切り欠き、紙製支持片の幅が異なることを利用して水中における紙製支持片の耐久性低下による破断時間が異なるようにしたことを特徴とする紙製底蓋着脱式撒き餌籠。
【請求項３】
紙製支持片は放射状に形成されている請求項１又は請求項２記載の紙製底蓋着脱式撒き餌籠。
【請求項４】
紙製支持片は格子状に形成されている請求項１又は請求項２記載の紙製底蓋着脱式撒き餌籠。
【請求項５】
紙製周壁の一部上端に手で掴むための紙製把持片が突出して設けられている請求項１又は請求項２記載の紙製底蓋着脱式撒き餌籠。
【発明の詳細な説明】
【０００１】
【発明の属する技術分野】
この発明は、魚を寄せるために水中で撒き餌をするために使用される撒き餌籠に係り、特に、撒き餌籠の開口する底部に紙製の底蓋を装着し、水中で底蓋の紙製支持片が時間の経過と共に順次破断して行くことで継続的に撒き餌を行えるようにした紙製底蓋着脱式撒き餌籠に関するものである。
【０００２】
【従来の技術】
釣りをする人は普通コマセ籠を使う事が多い。これは魚を寄せるために水中で撒き餌をするためである。しかるにその籠はほとんどがステンレス製又はプラスチックに類するもので出来ている。
このような撒き餌籠として、籠の底が開放になっている底開放型と、底に金属製の蓋が付いておりその蓋がバネの力によって閉まっていて、目標水深に達した後、釣り人が竿の操作により籠を上下させて蓋を開閉し、中の餌を撒く底バネ蓋付き型とが知られている。
【０００３】
【発明が解決しようとする課題】
底開放型の撒き餌籠にあっては、その長所は餌を撒くのが容易である。短所としては、水中への投入時にこぼれ落ちたり、目標水深に達する途中トラブル等により籠の下降が停止した場合そこで餌がこぼれ落ちたりし、又目標水深に達した場合餌が一度に撒かれてしまい、その餌は潮流にのり遠くへ流され魚も付いて行ってしまう。
また、底バネ蓋付き型撒き餌籠にあっては、その長所は途中で餌がこぼれ落ちにくい。短所としては、図１６に図示するように、水中の籠の蓋を海上の釣り人が釣り竿の上下運動により開閉させるので撒き餌が不確実であり、実際に使用してみると餌が入ったままで引き上げられてくる事も度々である。更に底開放型と同じく撒き餌が１〜２、３回に分けられ断続的に撒かれるため、魚はその撒き餌を追って離れて行くと考えられ、魚種にもよるが間断なく撒かれることが望ましい。又実際には餌は出てしまっているのを未だ残っていることを想像して無駄な上下運動をさせることも結構多い。
【０００４】
この発明は、上記のような課題に鑑み、その課題を解決すべく創案されたものであって、その目的とするところは、撒き餌籠の開口する底部に紙製の底蓋を装着し、水中で底蓋の紙製支持片が時間の経過と共に順次破断して行くことで継続的に撒き餌を行うことのできる紙製底蓋着脱式撒き餌籠を提供することにある。
【０００５】
【課題を解決するための手段】
以上の目的を達成するために、請求項１の発明は、撒き餌籠の開口された底部に着脱自在に装着される底蓋を、水中で徐々に耐久性が低下して破断する紙製底面と、該紙製底面の周縁を略垂直に折り曲げ形成された紙製周壁とから形成し、上記紙製底面を籠内の撒き餌がこぼれ落ちるのを防ぐ複数の紙製支持片を残して切り欠くと共に少なくとも一部の紙製支持片に異なる大きさの切り込みを入れ、紙製支持片の切り込みが異なることを利用して水中における紙製支持片の耐久性低下による破断時間が異なるようにしたことよりなる。
【０００６】
また、請求項２の発明は、撒き餌籠の開口された底部に着脱自在に装着される底蓋を、水中で徐々に耐久性が低下して破断する紙製底面と、該紙製底面の周縁を略垂直に折り曲げ形成された紙製周壁とから形成し、上記紙製底面を籠内の撒き餌がこぼれ落ちるのを防ぐ複数の紙製支持片を残して切り欠くと共に少なくとも一部の紙製支持片の幅を異なる大きさに切り欠き、紙製支持片の幅が異なることを利用して水中における紙製支持片の耐久性低下による破断時間が異なるようにしたことよりなる。
【０００７】
【発明の実施の形態】
以下、図面に記載の発明の実施の形態に基づいて、この発明をより具体的に説明する。
【０００８】
〔実施の形態−１〕
図１において、紙製底蓋着脱式撒き餌籠１は、底部２１が開口された撒き餌籠２と、開口された底部２１に着脱自在に装着される紙製の底蓋３から構成される。紙製底蓋着脱式撒き餌籠１は、紙製の底蓋３が水中に投入前の水面上方にあっては撒き餌籠２内の撒き餌がこぼれ落ちるのを防ぎ、水中にあっては紙製の底蓋３の複数の紙製支持片３３が徐々に破断して撒き餌籠２内の撒き餌が確実に水中にこぼれ落ちるようにしたものである。
【０００９】
撒き餌籠２は、例えば円筒状或いは釣り鐘状などの市販されている撒き餌籠と同様な外形を有し、使用時に下端側となる底部２１が開口され、内部には撒き餌を入れる撒き餌挿入室２２が形成されている。撒き餌挿入室２２の側周面は市販されている撒き餌籠と同様に格子状に形成されたり通水孔が形成されたりしている。
【００１０】
開口された底部２１の周縁側には、底部２１に装着される紙製の底蓋３を外側から嵌合して挟んで係止するリング状の嵌合係止環２３が装着されている。嵌合係止環２３は中央には大きな孔が形成され、その孔の周縁は断面Ｌ字状に形成されている。即ち、嵌合係止環２３の断面Ｌ字状の周縁は底部２１側の外周側面とこれと直角な外周表面とに係合する形状になっている。
【００１１】
嵌合係止環２３の両側には、該嵌合係止環２３を底部２１に係止するゴムなどの弾性紐２４がそれぞれ取付けられている。弾性紐２４の一端は撒き餌籠２の外周側面に形成された留め具２５に連結され、弾性紐２４の他端は嵌合係止環２３に留め具を介して連結されている。また、嵌合係止環２３の下方側には半円形状の連結片２３ａを介して錘２６が取り付けられている。半円形状の連結片２３ａは両側の留め具２５に対して直交する位置の撒き餌籠２の両側面に連結吊持されている。なお、図２に示すように、半円形状の連結片２３ａ及び錘２６を省略し、これに代えて撒き餌籠２の底部２１の開口周縁に例えばリング状の鉛の錘２６ａを取り付けてもよい。
【００１２】
図３に示す紙製の底蓋３は、水中で徐々に耐久性が低下して破断する紙製底面３１と、該紙製底面３１の周縁を略垂直に折り曲げ形成された紙製周壁３２とから形成されている。紙製周壁３２は底部２１に底蓋３を取り付けた場合にずれたりするのを防ぐ機能と共に、平面な紙製底面３１に対して略垂直に折り曲げられることによって底蓋３自体の強度を高めている。なお、紙製周壁３２は濡れて破れやすくなるのを回避するために必要に応じて例えば油分や蝋などによって防水加工される。また、図４に示すように必要に応じて紙製周壁３２の一部上端に手で掴むための紙製把持片３２ａを突出して設けてもよい。紙製把持片３２ａを濡れた手で掴んでも紙製把持片３２ａは紙製周壁３２の一部上端から突出するために、濡れた手の水分が紙製把持片３２ａから紙製周壁３２側に伝わって破れ易くなるまでに紙製の底蓋３を底部２１に装着でき、濡れた手で掴むことによって紙製の底蓋３が破れ易くなるのを回避できる。
【００１３】
紙製底面３１には撒き餌籠２内の撒き餌がこぼれ落ちるのを防ぐ複数の紙製支持片３３を残して切り欠かれている。又紙製底面３１の周縁には紙製周縁３４が形成されている。図３において、複数の紙製支持片３３は紙製底面３１の中心から例えば４５度の等角度で放射状に形成されている。各紙製支持片３３の幅は同一の大きさになるように切り欠かれている。なお、紙製周縁３４は濡れて破れやすくなるのを回避するために必要に応じて例えば油分や蝋などによって防水加工される。
【００１４】
同一幅の各紙製支持片３３には異なる大きさの切り込み３５ａ〜３５ｅが片側の幅端から入れられている。切り込みの大きさは切り込み３５ａが一番大きく、順次切り込み３５ｂ、切り込み３５ｃ、切り込み３５ｄ、切り込み３５ｅに従って小さくなっている。この切り込み３５ａ〜３５ｅの大小によって、水中での各紙製支持片３３の破断時間が異なる。つまり、切り込みが大きい順から先に紙製支持片３３は破断していく。なお、切り込み３５ｅは省略してもよい。
【００１５】
次に、上記発明の実施の形態の構成に基づく作用について以下説明する。
紙製底蓋着脱式撒き餌籠１を逆さまにして底部２１を上向きにし、嵌合係止環２３を弾性紐２４に抗して上側に少し引っ張って、嵌合係止環２３を底部２１から外し、これを横方向にずらして底部２１を全開放する。全開放した上向きの底部２１から撒き餌を撒き餌挿入室２２に挿入し、紙製の底蓋３を底部２１の上から被せる。底蓋３の周縁には略垂直な紙製周壁３２が形成されて、この紙製周壁３２を底部２１の外周側面に外側から当接して、全開放する底部２１の表面に異なる切り込み３５ａ〜３５ｅが入れられた複数の紙製支持片３３が放射状に形成された紙製底面３１を被せる。
【００１６】
そして、横にずらしていた嵌合係止環２３を弾性紐２４に抗して引っ張って紙製底面３１が被せられた底部２１の真上に移動させた後、嵌合係止環２３を紙製底面３１の上に嵌合して被せて手を離す。嵌合係止環２３は紙製底面３１及び底部２１側に弾性紐２４によって引っ張られ、紙製底面３１は底部２１と嵌合係止環２３との間に挟まれて係止される。
【００１７】
その後、逆さまとなっていた紙製底蓋着脱式撒き餌籠１を元の状態、つまり底部２１が下向きになるように戻した後に、水中に投入する。水中に投入されるまでの間、紙製底蓋着脱式撒き餌籠１の撒き餌挿入室２２内の撒き餌は底蓋３の紙製底面３１に形成された複数の紙製支持片３３によって、こぼれ落ちるのが防がれる。
【００１８】
紙製底蓋着脱式撒き餌籠１が水中に入り下降させると水の抵抗によって内部の撒き餌がこぼれ落ちることはない。そして、時間の経過と共に、図５のＡ〜Ｆに示すように、各紙製支持片３３は順次切り込み３５ａ〜３５ｅの大きい箇所から破断していく。各紙製支持片３３が順次破断していくに従って、撒き餌挿入室２２内の撒き餌は破断して順次広くなる底部２１から徐々に水中に放出され、最後には全ての紙製支持片３３が破断して底部２１は全開放となり、撒き餌は撒き餌挿入室２２に残ることなく水中に放出される。このようにして、図１５のＡ〜Ｂに図示するように、予定された時間により、各紙製支持片３３が順次破断されて撒き餌は間断無く撒かれる。
【００１９】
切り込み３５ａ〜３５ｅ箇所で破断した紙製支持片３３は一部が紙製周壁３２と連結状態にあるため、紙製底蓋着脱式撒き餌籠１から離れて沈下することがなく、海底を紙製支持片３３で汚すことがない。紙製底蓋着脱式撒き餌籠１を水中から引き上げて、前記した要領で嵌合係止環２３を外して、底部２１と嵌合係止環２３との間に挟まっていた、破断した紙製支持片３３が繋がっている使用済みの紙製の底蓋３を取り外し、撒き餌を撒き餌挿入室２２内に挿入し新しい紙製の底蓋３を装着して再び撒き餌を開始する。
【００２０】
〔実施の形態−２〕
図１において、紙製底蓋着脱式撒き餌籠１は、底部２１が開口された撒き餌籠２と、開口された底部２１に着脱自在に装着される紙製の底蓋４から構成される。紙製底蓋着脱式撒き餌籠１は、紙製の底蓋４が水中に投入前の水面上方にあっては撒き餌籠２内の撒き餌がこぼれ落ちるのを防ぎ、水中にあっては紙製の底蓋４の複数の紙製支持片４３が徐々に破断して撒き餌籠２内の撒き餌が確実に水中にこぼれ落ちるようにしたものである。
【００２１】
撒き餌籠２は、例えば円筒状或いは釣り鐘状などの市販されている撒き餌籠と同様な外形を有し、使用時に下端側となる底部２１が開口され、内部には撒き餌を入れる撒き餌挿入室２２が形成されている。撒き餌挿入室２２の側周面は市販されている撒き餌籠と同様に格子状に形成されたり通水孔が形成されたりしている。
【００２２】
開口された底部２１の周縁側には、底部２１に装着される紙製の底蓋４を外側から嵌合して挟んで係止するリング状の嵌合係止環２３が装着されている。嵌合係止環２３は中央には大きな孔が形成され、その孔の周縁は断面Ｌ字状に形成されている。即ち、嵌合係止環２３の断面Ｌ字状の周縁は底部２１側の外周側面とこれと直角な外周表面とに係合する形状になっている。
【００２３】
嵌合係止環２３の両側には、該嵌合係止環２３を底部２１に係止するゴムなどの弾性紐２４がそれぞれ取付けられている。弾性紐２４の一端は撒き餌籠２の外周側面に形成された留め具２５に連結され、弾性紐２４の他端は嵌合係止環２３に留め具を介して連結されている。また、嵌合係止環２３の下方側には半円形状の連結片２３ａを介して錘２６が取り付けられている。半円形状の連結片２３ａは両側の留め具２５に対して直交する位置の撒き餌籠２の両側面に連結吊持されている。なお、図２に示すように、半円形状の連結片２３ａ及び錘２６を省略し、これに代えて撒き餌籠２の底部２１の開口周縁に例えばリング状の鉛の錘２６ａを取り付けてもよい。
【００２４】
図６に示す紙製の底蓋４は、水中で徐々に耐久性が低下して破断する紙製底面４１と、該紙製底面４１の周縁を略垂直に折り曲げ形成された紙製周壁４２とから形成されている。紙製周壁４２は底部２１に底蓋４を取り付けた場合にずれたりするのを防ぐ機能と共に、平面な紙製底面４１に対して略垂直に折り曲げられることによって底蓋４自体の強度を高めている。なお、紙製周壁４２は濡れて破れやすくなるのを回避するために必要に応じて例えば油分や蝋などによって防水加工される。また、図７に示すように必要に応じて紙製周壁４２の一部上端に手で掴むための紙製把持片４２ａを突出して設けてもよい。紙製把持片４２ａを濡れた手で掴んでも紙製把持片４２ａは紙製周壁４２の一部上端から突出するために、濡れた手の水分が紙製把持片４２ａから紙製周壁４２側に伝わって破れ易くなるまでに紙製の底蓋４を底部２１に装着でき、濡れた手で掴むことによって紙製の底蓋４が破れ易くなるのを回避できる。
【００２５】
紙製底面４１には撒き餌籠２内の撒き餌がこぼれ落ちるのを防ぐ複数の紙製支持片４３を残して切り欠かれている。又紙製底面４１の周縁には紙製周縁４４が形成されている。図６において、複数の紙製支持片４３は紙製底面４１の中心から例えば４５度の等角度で放射状に形成されている。各紙製支持片４３の幅は異なる大きさになるように切り欠かれている。なお、紙製周縁４４は濡れて破れやすくなるのを回避するために必要に応じて例えば油分や蝋などによって防水加工される。
【００２６】
各紙製支持片４３には異なる幅の大きさは幅４３ａが一番小さく、順次その幅４３ｂ、幅４３ｃ、幅４３ｄ、幅４３ｅ、幅４３ｆに従って大きくなっている。この幅４３ａ〜４３ｆの大小によって、水中での各紙製支持片４３の破断時間が異なる。つまり、幅が小さい順から先に紙製支持片４３は破断していく。なお、幅４３ｅと幅４３ｆは同一幅としてもよい。
【００２７】
次に、上記発明の実施の形態の構成に基づく作用について以下説明する。
紙製底蓋着脱式撒き餌籠１を逆さまにして底部２１を上向きにし、嵌合係止環２３を弾性紐２４に抗して上側に少し引っ張って、嵌合係止環２３を底部２１から外し、これを横方向にずらして底部２１を全開放する。全開放した上向きの底部２１から撒き餌を撒き餌挿入室２２に挿入し、紙製の底蓋４を底部２１の上から被せる。底蓋４の周縁には略垂直な紙製周壁４２が形成されて、この紙製周壁４２を底部２１の外周側面に外側から当接して、全開放する底部２１の表面に異なる幅４３ａ〜４３ｆからなる複数の紙製支持片４３が放射状に形成された紙製底面４１を被せる。
【００２８】
そして、横にずらしていた嵌合係止環２３を弾性紐２４に抗して引っ張って紙製底面４１が被せられた底部２１の真上に移動させた後、嵌合係止環２３を紙製底面４１の上に嵌合して被せて手を離す。嵌合係止環２３は紙製底面４１及び底部２１側に弾性紐２４によって引っ張られ、紙製底面４１は底部２１と嵌合係止環２３との間に挟まれて係止される。
【００２９】
その後、逆さまとなっていた紙製底蓋着脱式撒き餌籠１を元の状態、つまり底部２１が下向きになるように戻した後に、水中に投入する。水中に投入されるまでの間、紙製底蓋着脱式撒き餌籠１の撒き餌挿入室２２内の撒き餌は底蓋４の紙製底面４１に形成された複数の紙製支持片４３によって、こぼれ落ちるのが防がれる。
【００３０】
紙製底蓋着脱式撒き餌籠１が水中に入り下降させると水の抵抗によって内部の撒き餌がこぼれ落ちることはない。そして、時間の経過と共に、図８のＡ〜Ｆに示すように、各紙製支持片４３は順次幅４３ａ〜４３ｆの小さい箇所から破断していく。各紙製支持片４３が順次破断していくに従って、撒き餌挿入室２２内の撒き餌は破断して順次広くなる底部２１から徐々に水中に放出され、最後には全ての紙製支持片４３が破断して底部２１は全開放となり、撒き餌は撒き餌挿入室２２に残ることなく水中に放出される。このようにして、図１５のＡ〜Ｂに図示するように、予定された時間により、各紙製支持片４３が順次破断されて撒き餌は間断無く撒かれる。
【００３１】
破断した紙製支持片４３は一部が紙製周壁４２と連結状態にあるため、紙製底蓋着脱式撒き餌籠１から離れて沈下することがなく、海底を紙製支持片４３で汚すことがない。紙製底蓋着脱式撒き餌籠１を水中から引き上げて、前記した要領で嵌合係止環２３を外して、底部２１と嵌合係止環２３との間に挟まっていた、破断した紙製支持片４３が繋がっている使用済みの紙製の底蓋４を取り外し、撒き餌を撒き餌挿入室２２内に挿入し新しい紙製の底蓋４を装着して再び撒き餌を開始する。
【００３２】
〔実施の形態−３〕
図１において、紙製底蓋着脱式撒き餌籠１は、底部２１が開口された撒き餌籠２と、開口された底部２１に着脱自在に装着される紙製の底蓋５から構成される。紙製底蓋着脱式撒き餌籠１は、紙製の底蓋５が水中に投入前の水面上方にあっては撒き餌籠２内の撒き餌がこぼれ落ちるのを防ぎ、水中にあっては紙製の底蓋５の複数の紙製支持片５３が徐々に破断して撒き餌籠２内の撒き餌が確実に水中にこぼれ落ちるようにしたものである。
【００３３】
撒き餌籠２は、例えば円筒状或いは釣り鐘状などの市販されている撒き餌籠と同様な外形を有し、使用時に下端側となる底部２１が開口され、内部には撒き餌を入れる撒き餌挿入室２２が形成されている。撒き餌挿入室２２の側周面は市販されている撒き餌籠と同様に格子状に形成されたり通水孔が形成されたりしている。
【００３４】
開口された底部２１の周縁側には、底部２１に装着される紙製の底蓋５を外側から嵌合して挟んで係止するリング状の嵌合係止環２３が装着されている。嵌合係止環２３は中央には大きな孔が形成され、その孔の周縁は断面Ｌ字状に形成されている。即ち、嵌合係止環２３の断面Ｌ字状の周縁は底部２１側の外周側面とこれと直角な外周表面とに係合する形状になっている。
【００３５】
嵌合係止環２３の両側には、該嵌合係止環２３を底部２１に係止するゴムなどの弾性紐２４がそれぞれ取付けられている。弾性紐２４の一端は撒き餌籠２の外周側面に形成された留め具２５に連結され、弾性紐２４の他端は嵌合係止環２３に留め具を介して連結されている。また、嵌合係止環２３の下方側には半円形状の連結片２３ａを介して錘２６が取り付けられている。半円形状の連結片２３ａは両側の留め具２５に対して直交する位置の撒き餌籠２の両側面に連結吊持されている。なお、図２に示すように、半円形状の連結片２３ａ及び錘２６を省略し、これに代えて撒き餌籠２の底部２１の開口周縁に例えばリング状の鉛の錘２６ａを取り付けてもよい。
【００３６】
図９に示す紙製の底蓋５は、水中で徐々に耐久性が低下して破断する紙製底面５１と、該紙製底面５１の周縁を略垂直に折り曲げ形成された紙製周壁５２とから形成されている。紙製周壁５２は底部２１に底蓋５を取り付けた場合にずれたりするのを防ぐ機能と共に、平面な紙製底面５１に対して略垂直に折り曲げられることによって底蓋５自体の強度を高めている。なお、紙製周壁５２は濡れて破れやすくなるのを回避するために必要に応じて例えば油分や蝋などによって防水加工される。また、図１０に示すように必要に応じて紙製周壁５２の一部上端に手で掴むための紙製把持片５２ａを突出して設けてもよい。紙製把持片５２ａを濡れた手で掴んでも紙製把持片５２ａは紙製周壁５２の一部上端から突出するために、濡れた手の水分が紙製把持片５２ａから紙製周壁５２側に伝わって破れ易くなるまでに紙製の底蓋５を底部２１に装着でき、濡れた手で掴むことによって紙製の底蓋５が破れ易くなるのを回避できる。
【００３７】
紙製底面５１には撒き餌籠２内の撒き餌がこぼれ落ちるのを防ぐ複数の紙製支持片５３を残して切り欠かれている。又紙製底面５１の周縁には紙製周縁５４が形成されている。図９において、複数の紙製支持片５３は紙製底面５１に例えば４等分の格子状に形成されている。各紙製支持片５３の幅は同一の大きさになるように切り欠かれている。なお、紙製周縁５４は濡れて破れやすくなるのを回避するために必要に応じて例えば油分や蝋などによって防水加工される。
【００３８】
同一幅の各紙製支持片５３には異なる大きさの切り込み５５ａ〜５５ｅが片側の幅端から入れられている。切り込みの大きさは切り込み５５ａが一番大きく、順次切り込み５５ｂ、切り込み５５ｃ、切り込み５５ｄ、切り込み５５ｅに従って小さくなっている。この切り込み５５ａ〜５５ｅの大小によって、水中での各紙製支持片５３の破断時間が異なる。つまり、切り込みが大きい順から先に紙製支持片５３は破断していく。なお、切り込み５５ｅは省略してもよい。
【００３９】
次に、上記発明の実施の形態の構成に基づく作用について以下説明する。
紙製底蓋着脱式撒き餌籠１を逆さまにして底部２１を上向きにし、嵌合係止環２３を弾性紐２４に抗して上側に少し引っ張って、嵌合係止環２３を底部２１から外し、これを横方向にずらして底部２１を全開放する。全開放した上向きの底部２１から撒き餌を撒き餌挿入室２２に挿入し、紙製の底蓋５を底部２１の上から被せる。底蓋５の周縁には略垂直な紙製周壁５２が形成されて、この紙製周壁５２を底部２１の外周側面に外側から当接して、全開放する底部２１の表面に異なる切り込み５５ａ〜５５ｅが入れられた複数の紙製支持片５３が放射状に形成された紙製底面５１を被せる。
【００４０】
そして、横にずらしていた嵌合係止環２３を弾性紐２４に抗して引っ張って紙製底面５１が被せられた底部２１の真上に移動させた後、嵌合係止環２３を紙製底面５１の上に嵌合して被せて手を離す。嵌合係止環２３は紙製底面５１及び底部２１側に弾性紐２４によって引っ張られ、紙製底面５１は底部２１と嵌合係止環２３との間に挟まれて係止される。
【００４１】
その後、逆さまとなっていた紙製底蓋着脱式撒き餌籠１を元の状態、つまり底部２１が下向きになるように戻した後に、水中に投入する。水中に投入されるまでの間、紙製底蓋着脱式撒き餌籠１の撒き餌挿入室２２内の撒き餌は底蓋５の紙製底面５１に形成された複数の紙製支持片５３によって、こぼれ落ちるのが防がれる。
【００４２】
紙製底蓋着脱式撒き餌籠１が水中に入り下降させると水の抵抗によって内部の撒き餌がこぼれ落ちることはない。そして、時間の経過と共に、図１１のＡ〜Ｆに示すように、各紙製支持片５３は順次切り込み５５ａ〜５５ｅの大きい箇所から破断していく。各紙製支持片５３が順次破断していくに従って、撒き餌挿入室２２内の撒き餌は破断して順次広くなる底部２１から徐々に水中に放出され、最後には全ての紙製支持片５３が破断して底部２１は全開放となり、撒き餌は撒き餌挿入室２２に残ることなく水中に放出される。このようにして、図１５のＡ〜Ｂに図示するように、予定された時間により、各紙製支持片５３が順次破断されて撒き餌は間断無く撒かれる。
【００４３】
切り込み５５ａ〜５５ｅ箇所で破断した紙製支持片５３は一部が紙製周壁５２と連結状態にあるため、紙製底蓋着脱式撒き餌籠１から離れて沈下することがなく、海底を紙製支持片５３で汚すことがない。紙製底蓋着脱式撒き餌籠１を水中から引き上げて、前記した要領で嵌合係止環２３を外して、底部２１と嵌合係止環２３との間に挟まっていた、破断した紙製支持片５３が繋がっている使用済みの紙製の底蓋５を取り外し、撒き餌を撒き餌挿入室２２内に挿入し新しい紙製の底蓋５を装着して再び撒き餌を開始する。
【００４４】
〔実施の形態−４〕
図１において、紙製底蓋着脱式撒き餌籠１は、底部２１が開口された撒き餌籠２と、開口された底部２１に着脱自在に装着される紙製の底蓋６から構成される。紙製底蓋着脱式撒き餌籠１は、紙製の底蓋６が水中に投入前の水面上方にあっては撒き餌籠２内の撒き餌がこぼれ落ちるのを防ぎ、水中にあっては紙製の底蓋６の複数の紙製支持片６３が徐々に破断して撒き餌籠２内の撒き餌が確実に水中にこぼれ落ちるようにしたものである。
【００４５】
撒き餌籠２は、例えば円筒状或いは釣り鐘状などの市販されている撒き餌籠と同様な外形を有し、使用時に下端側となる底部２１が開口され、内部には撒き餌を入れる撒き餌挿入室２２が形成されている。撒き餌挿入室２２の側周面は市販されている撒き餌籠と同様に格子状に形成されたり通水孔が形成されたりしている。
【００４６】
開口された底部２１の周縁側には、底部２１に装着される紙製の底蓋６を外側から嵌合して挟んで係止するリング状の嵌合係止環２３が装着されている。嵌合係止環２３は中央には大きな孔が形成され、その孔の周縁は断面Ｌ字状に形成されている。即ち、嵌合係止環２３の断面Ｌ字状の周縁は底部２１側の外周側面とこれと直角な外周表面とに係合する形状になっている。
【００４７】
嵌合係止環２３の両側には、該嵌合係止環２３を底部２１に係止するゴムなどの弾性紐２４がそれぞれ取付けられている。弾性紐２４の一端は撒き餌籠２の外周側面に形成された留め具２５に連結され、弾性紐２４の他端は嵌合係止環２３に留め具を介して連結されている。また、嵌合係止環２３の下方側には半円形状の連結片２３ａを介して錘２６が取り付けられている。半円形状の連結片２３ａは両側の留め具２５に対して直交する位置の撒き餌籠２の両側面に連結吊持されている。なお、図２に示すように、半円形状の連結片２３ａ及び錘２６を省略し、これに代えて撒き餌籠２の底部２１の開口周縁に例えばリング状の鉛の錘２６ａを取り付けてもよい。
【００４８】
図１２に示す紙製の底蓋６は、水中で徐々に耐久性が低下して破断する紙製底面６１と、該紙製底面６１の周縁を略垂直に折り曲げ形成された紙製周壁６２とから形成されている。紙製周壁６２は底部２１に底蓋６を取り付けた場合にずれたりするのを防ぐ機能と共に、平面な紙製底面６１に対して略垂直に折り曲げられることによって底蓋６自体の強度を高めている。なお、紙製周壁６２は濡れて破れやすくなるのを回避するために必要に応じて例えば油分や蝋などによって防水加工される。また、図１３に示すように必要に応じて紙製周壁６２の一部上端に手で掴むための紙製把持片６２ａを突出して設けてもよい。紙製把持片６２ａを濡れた手で掴んでも紙製把持片６２ａは紙製周壁６２の一部上端から突出するために、濡れた手の水分が紙製把持片６２ａから紙製周壁６２側に伝わって破れ易くなるまでに紙製の底蓋６を底部２１に装着でき、濡れた手で掴むことによって紙製の底蓋６が破れ易くなるのを回避できる。
【００４９】
紙製底面６１には撒き餌籠２内の撒き餌がこぼれ落ちるのを防ぐ複数の紙製支持片６３を残して切り欠かれている。又紙製底面６１の周縁には紙製周縁６４が形成されている。図１２において、複数の紙製支持片６３は紙製底面６１に例えば４等分の格子状に形成されている。各紙製支持片６３の幅は異なる大きさになるように切り欠かれている。なお、紙製周縁６４は濡れて破れやすくなるのを回避するために必要に応じて例えば油分や蝋などによって防水加工される。
【００５０】
各紙製支持片６３には異なる幅の大きさは幅６３ａが一番小さく、順次その幅６３ｂ、幅６３ｃ、幅６３ｄ、幅６３ｅ、幅６３ｆに従って大きくなっている。この幅６３ａ〜６３ｆの大小によって、水中での各紙製支持片６３の破断時間が異なる。つまり、幅が小さい順から先に紙製支持片６３は破断していく。なお、幅６３ｅと幅６３ｆは同一幅としてもよい。
【００５１】
次に、上記発明の実施の形態の構成に基づく作用について以下説明する。
紙製底蓋着脱式撒き餌籠１を逆さまにして底部２１を上向きにし、嵌合係止環２３を弾性紐２４に抗して上側に少し引っ張って、嵌合係止環２３を底部２１から外し、これを横方向にずらして底部２１を全開放する。全開放した上向きの底部２１から撒き餌を撒き餌挿入室２２に挿入し、紙製の底蓋６を底部２１の上から被せる。底蓋６の周縁には略垂直な紙製周壁６２が形成されて、この紙製周壁６２を底部２１の外周側面に外側から当接して、全開放する底部２１の表面に異なる幅６３ａ〜６３ｆからなる複数の紙製支持片６３が放射状に形成された紙製底面６１を被せる。
【００５２】
そして、横にずらしていた嵌合係止環２３を弾性紐２４に抗して引っ張って紙製底面６１が被せられた底部２１の真上に移動させた後、嵌合係止環２３を紙製底面６１の上に嵌合して被せて手を離す。嵌合係止環２３は紙製底面６１及び底部２１側に弾性紐２４によって引っ張られ、紙製底面６１は底部２１と嵌合係止環２３との間に挟まれて係止される。
【００５３】
その後、逆さまとなっていた紙製底蓋着脱式撒き餌籠１を元の状態、つまり底部２１が下向きになるように戻した後に、水中に投入する。水中に投入されるまでの間、紙製底蓋着脱式撒き餌籠１の撒き餌挿入室２２内の撒き餌は底蓋６の紙製底面６１に形成された複数の紙製支持片６３によって、こぼれ落ちるのが防がれる。
【００５４】
紙製底蓋着脱式撒き餌籠１が水中に入り下降させると水の抵抗によって内部の撒き餌がこぼれ落ちることはない。そして、時間の経過と共に、図１４のＡ〜Ｆに示すように、各紙製支持片６３は順次幅６３ａ〜６３ｆの小さい箇所から破断していく。各紙製支持片６３が順次破断していくに従って、撒き餌挿入室２２内の撒き餌は破断して順次広くなる底部２１から徐々に水中に放出され、最後には全ての紙製支持片６３が破断して底部２１は全開放となり、撒き餌は撒き餌挿入室２２に残ることなく水中に放出される。このようにして、図１５のＡ〜Ｂに図示するように、予定された時間により、各紙製支持片６３が順次破断されて撒き餌は間断無く撒かれる。
【００５５】
破断した紙製支持片６３は一部が紙製周壁６２と連結状態にあるため、紙製底蓋着脱式撒き餌籠１から離れて沈下することがなく、海底を紙製支持片６３で汚すことがない。紙製底蓋着脱式撒き餌籠１を水中から引き上げて、前記した要領で嵌合係止環２３を外して、底部２１と嵌合係止環２３との間に挟まっていた、破断した紙製支持片６３が繋がっている使用済みの紙製の底蓋６を取り外し、撒き餌を撒き餌挿入室２２内に挿入し新しい紙製の底蓋６を装着して再び撒き餌を開始する。
【００５６】
なお、この発明は上記発明の実施の形態に限定されるものではなく、この発明の精神を逸脱しない範囲で種々の改変をなし得ることは勿論である。前記実施の形態１〜４においては、紙製支持片は放射状又は格子状に形成されている場合で説明したがこれに限定されるものではなく、例えば曲線状に形成されていてもよい。
【００５７】
【発明の効果】
以上の記載より明らかなように、この発明に係る紙製底蓋着脱式撒き餌籠によれば、次のような優れた効果を有する。
（１）紙製支持片の切り込みや幅、或いは紙の材質などを変えることにより、計画的に底蓋の破れ目を生じさせ、そこから時間をかけながら継続的に撒き餌をすることができる。
（２）一度に撒きたい場合は強く上下運動をかけると濡れた紙なので容易に破れ、餌を一度に放出することができる。
（３）本品は紙製であるが、海洋を汚染しないように和紙などを、破断する必要のない所に一部使用することで、撒き餌籠の引き上げ時に同時に破れた底蓋を回収することが可能で、海洋汚染を回避することができる。
（４）熟練者でなくても海上の波による浮子の上下運動で撒き餌を容易に撒くことができる。
【図面の簡単な説明】
【図１】この発明の実施の形態−１〜４を示す紙製底蓋着脱式撒き餌籠の底部側の側断面図である。
【図２】この発明の実施の形態−１〜４の他例を示す紙製底蓋着脱式撒き餌籠の底部側の側断面図である。
【図３】この発明の実施の形態−１を示す底蓋の斜視図である。
【図４】この発明の実施の形態−１の他例を示す底蓋の斜視図である。
【図５】（Ａ）〜（Ｆ）はこの発明の実施の形態−１の底蓋の紙製底面の紙製支持片の破断順序を示す平面図である。
【図６】この発明の実施の形態−２を示す底蓋の斜視図である。
【図７】この発明の実施の形態−２の他例を示す底蓋の斜視図である。
【図８】（Ａ）〜（Ｆ）はこの発明の実施の形態−２の底蓋の紙製底面の紙製支持片の破断順序を示す平面図である。
【図９】この発明の実施の形態−３を示す底蓋の斜視図である。
【図１０】この発明の実施の形態−３の他例を示す底蓋の斜視図である。
【図１１】（Ａ）〜（Ｆ）はこの発明の実施の形態−３の底蓋の紙製底面の紙製支持片の破断順序を示す平面図である。
【図１２】この発明の実施の形態−４を示す底蓋の斜視図である。
【図１３】この発明の実施の形態−４の他例を示す底蓋の斜視図である。
【図１４】（Ａ）〜（Ｆ）はこの発明の実施の形態−４の底蓋の紙製底面の紙製支持片の破断順序を示す平面図である。
【図１５】（Ａ）〜（Ｂ）はこの発明の実施の形態−１〜４における撒き餌を示す説明図である。
【図１６】（Ａ）〜（Ｃ）は従来説明図である。
【符号の説明】
１      紙製底蓋着脱式撒き餌籠
２      撒き餌籠
２１    底部
２２    撒き餌挿入室
２３    嵌合係止環
２３ａ  連結片
２４    弾性紐
２５    留め具
２６    錘
２６ａ  錘
３      底蓋
３１    紙製底面
３２    紙製周壁
３２ａ  紙製把持片
３３    紙製支持片
３４    紙製周縁
３５ａ〜３５ｅ    切り込み
４      底蓋
４１    紙製底面
４２    紙製周壁
４２ａ  紙製把持片
４３    紙製支持片
４３ａ〜４３ｆ    幅
４４    紙製周縁
５      底蓋
５１    紙製底面
５２    紙製周壁
５２ａ  紙製把持片
５３    紙製支持片
５４    紙製周縁
５５ａ〜５５ｅ    切り込み
６      底蓋
６１    紙製底面
６２    紙製周壁
６２ａ  紙製把持片
６３    紙製支持片
６３ａ〜６３ｆ    幅
６４    紙製周縁
【図１】
2005058021.tif 000003
【図２】
2005058021.tif 000004
【図３】
2005058021.tif 000005
【図４】
2005058021.tif 000006
【図５】
2005058021.tif 000007
【図６】
2005058021.tif 000008
【図７】
2005058021.tif 000009
【図８】
2005058021.tif 000010
【図９】
2005058021.tif 000011
【図１０】
2005058021.tif 000012
【図１１】
2005058021.tif 000013
【図１２】
2005058021.tif 000014
【図１３】
2005058021.tif 000015
【図１４】
2005058021.tif 000016
【図１５】
2005058021.tif 000017
【図１６】
2005058021.tif 000018